(57)【要約】【課題】引き残し部分を小さく抑え、広い開放部を確保することができるとともに、外観上引戸である判断が容易にでき、更に上腕や肘を使っての引戸の開放が容易な引戸装置を提供すること。【解決手段】出入り口に配置される引戸扉４と、引戸枠部材２とからなる引戸装置１において、引戸扉４の表面材４ａの適所に、摩擦抵抗の大なる平板部材５を貼着したことを特徴とする。【選択図】図１
2007092394.tif 000002
【特許請求の範囲】
【請求項１】
出入り口に配置される引戸扉と、引戸枠部材とからなる引戸装置において、引戸扉表面材の適所に、摩擦抵抗の大なる平板部材を貼着したことを特徴とする引戸装置。
【請求項２】
平板部材には、引戸開閉方向に交差して複数の凸状部分を形成したことを特徴とする請求項１記載の引戸装置。
【請求項３】
引戸扉表面材の平板部材貼着箇所を、平板部材の形状に沿った面落ち部分としたことを特徴とする請求項１又は２記載の引戸装置。
【請求項４】
引戸扉の戸先側端部に、引戸扉閉鎖用の指掛り部材を配設したことを特徴とする請求項１、２又は３記載の引戸装置。
【発明の詳細な説明】
【技術分野】
【０００１】
本発明は、引戸装置に関し、特に、人手による開閉時に利用する把手部分を改良した引戸装置に関するものである。
【背景技術】
【０００２】
従来の引戸装置の例を図７〜８に示す。この引戸装置１０は、引戸枠部材２と、該枠部材２の一側に形成された戸袋３内に収納される引戸扉４と、戸袋３とより構成される。そして、この引戸装置１０に利用される把手部分１１は、一般的に丸パイプを略Ｕ字状に曲げて形成するものが大半であった。
【０００３】
しかし、この場合、把手１１と戸袋３入口の引戸枠２ａとの間での指詰めを防止するために、開放時に引戸を戸袋３内に収納するに際し、図８に示すように引き残し部分Ｌ’として１００ｍｍ以上の戸先部分が戸袋部分から突出させておく必要があり、引戸開放時に大きな開放スペースが確保できないといった問題が生じるとともに、丸パイプを略Ｕ字状に曲げて形成した把手の場合、外観上からは引戸であるか開き戸であるかの判断が困難であった。
また、これら従来の把手の場合、両手に荷物を持った状態で肘を使って引戸の開閉を行う場合や、手が不自由な人が肘を使って引戸を開放する場合等、把手１１に上腕や肘を当てることが困難な場合が多く、十分な引戸の開閉が行えないといった問題があった。
【発明の開示】
【発明が解決しようとする課題】
【０００４】
本発明は、上記従来の引戸装置の有する問題点に鑑み、引き残し部分を小さく抑え、広い開放部を確保することができるとともに、外観上引戸である判断が容易にでき、さらに上腕や肘を使っての引戸の開放が容易な引戸装置を提供することを目的とする。
【課題を解決するための手段】
【０００５】
上記目的を達成するため、本発明の引戸装置は、出入り口に配置される引戸扉と、引戸枠部材とからなる引戸装置において、引戸扉表面材の適所に、摩擦抵抗の大なる平板部材を貼着したことを特徴とする。
【０００６】
この場合において、平板部材には、引戸開閉方向に交差して複数の凸状部分を形成することができる。
【０００７】
さらにこれらの場合において、引戸扉表面材の平板部材貼着箇所を、平板部材の形状に沿った面落ち部分とすることができる。
【０００８】
また、戸先側端部に引戸扉閉鎖用の指掛かり部材を配設することができる。
【発明の効果】
【０００９】
本発明の引戸装置によれば、引戸扉表面材の適所に、摩擦抵抗の大なる平板部材を貼着するから、平板部材に手を当てて、また、手が塞がっている場合には肘や上腕、肩などを押し当ててスライドさせることによって引戸扉を容易に開閉することが可能となり、平板部材は引戸扉表面から大きく突出することがないから、引戸を戸袋内に収納する際に、引き残し部分を小さくすることができ、引戸開放時の開放スペースを大きく確保することのできる引戸装置を提供することができる。さらに、平板部材の形状を閉鎖側に向かった三角形状等とすることによって引戸タイプの扉であることが一目瞭然に判断することができる。
【００１０】
また、平板部材に、引戸開閉方向に交差して複数の凸状部分を形成するときは、引戸開閉時に指掛かりが良好で、引戸扉の開閉を容易とすることができる。
【００１１】
また、引戸扉表面材の平板部材貼着箇所を、平板部材の形状に沿った面落ち部分とすることによって、引戸扉表面からの平板部材の出っ張りを小さく抑えることができ、戸袋内に平板部材が入り込む場合にも戸袋厚みを大きくしたり、方立部分に切り欠き部分を形成する必要もない。
【００１２】
また、戸先側端部に引戸扉閉鎖用の指掛かり部を配設するときは、引戸全開時に平板部材が戸袋内に入り込んだ場合でも引戸を容易に閉鎖方向に移動させることができる。
【発明を実施するための最良の形態】
【００１３】
以下、本発明の引戸装置の実施の形態を、図面に基づいて説明する。なお、従来装置と同様の構造については同一の符号、一連の符号を付し説明を省略する。
【実施例１】
【００１４】
図１〜図３に、本発明の引戸装置の第１実施例を示す。
この引戸装置１は、従来例と同様、引戸枠部材２と、該枠部材２の一側に形成された戸袋３内に収納される引戸扉４と、戸袋３とより構成される。
本発明の引戸装置１は、引戸枠部材２の一側に形成する戸袋３を有することなく、引戸扉４の全開時に引戸扉４が壁面に沿うように外部から視認できるタイプにおいても適用することができることは言うまでもない。
引戸扉４の開閉の仕組みは特に限定されるものではなく、引戸扉４の上面に備えた対をなす前後の吊り車（図示しない）を走行用レール（図示しない）に載置し、通常は走行用レールを閉じ側に向けて傾斜せしめ、引戸扉４の自重によって、又は適宜手段（例えば、レールを床面と平行に取り付け、巻バネを用いて引戸扉４を閉鎖方向に付勢する等）によって常時は引戸扉４を閉じ方向に付勢するように構成する場合や走行用レールを水平に設け、開閉を人手のみにゆだねるものの他、引戸枠部材２下方の床面に敷設したレール上に引戸扉４を載置して引戸扉４を開閉する構成であってもかまわない。
また、引戸扉４を閉じ方向に付勢するように構成する場合には、引戸扉４に周知のフリーストッパ機構を設けることが好ましい。
【００１５】
そして、本発明の引戸装置１に使用する引戸扉４の表面材４ａ適所には、摩擦係数が大なる平板部材５を貼着するようにしている。
平板部材５の材質は、特に限定するものではなく、表面材４ａに比して大きな摩擦係数を有する、例えばウレタンやゴム等の弾性体であってもよい。
【００１６】
また、平板部材５の手を当てる表面側Ｆには、引戸開閉方向に交差して複数の凸状部分５ａを形成することが好ましく、凸状部分５ａを有することによって、掌でより小さな力で引戸扉４の開閉をすることができる。そして、その凸状部分５ａの高さは、図３（ｂ）に示すように、引戸開閉方向の中央部分を高く（高さｃ）、端部分を低く（高さｂ）構成することができ、係る場合には、引戸開閉時の指掛かりが、凸状部分５ａを同じ高さとしたときに比べてさらに良好なものとなる。凸状部分５ａの高さｃは、高さｂの２倍程度にすることが好ましい。
また、図３（ｃ）、（ｄ）に示すように、平板部材５の形状は、手を当てる表面側Ｆを三角形状にし、引戸扉４に貼着する裏面側Ｂを前記三角形状より大となる方形に形成することができる。これにより、引戸扉４に対する接着強度が引戸扉４の開閉方向に対して略均等となるとともに、平板部材５の引戸扉４に対して、高さや方向を任意の位置で貼着が容易となる。
【００１７】
平板部材５は、図例の如く平面視三角形状等、引戸扉４の開放方向を矢印として指し示す形状にすることが好ましく、係る形状によって、観音開き方式の開き戸タイプではなく、引戸タイプの扉であることが一目瞭然に判断することができる。
【００１８】
引戸扉４の表面材４ａは、平板部材５の貼着箇所を、平板部材５の形状に沿った面落ち部分Ｈとすることができる。これにより、引戸扉４表面からの平板部材５の出っ張りを小さく抑えることができる。
面落ち部分Ｈは、表面材４ａにプレス加工等を施すことによって平板部材５の形状の凹部を設けるもので、その深さｈは、平板部材５の厚みａと略等しいか、若干小とした深さとすることが好ましい。
【００１９】
しかして、引戸扉４の開放時には、掌や肘などを平板部材５に押し付け開方向にスライドさせることによって引戸扉４は開放方向に進み、フリーストッパ機構を配設するときは任意の位置で引戸扉４は停止し、引戸扉４を閉鎖する際には、開放時と同様に掌や肘などを平板部材５に押し付け閉方向にスライドさせることによって引戸扉４を閉鎖させることができる。
なお、平板部材５は図例では１箇所に貼着した例を示したが、低い位置にも貼り付けることによって、子供や車椅子に乗った者にも有効に利用することができるものである。
【実施例２】
【００２０】
図５〜図６に、本発明の引戸装置の第２実施例を示す。
この引戸装置１は、実施例１と同様に、引戸扉４の表面材適所に平板部材５を配設するとともに、引戸扉４の戸先側端部に引戸扉閉鎖用の指掛かり部材６を配設するようにしている。
【００２１】
この指掛かり部材６は、図５〜６に示すように、引戸扉４の高さ方向全長に亘って配設することが好ましく、また、可及的に戸先側端部に設けることが好ましい。これは、引戸扉４を全開した際の引き残し寸法を小さくするために、引戸扉４は可能な限り戸袋３内に入り込むように構成することが好ましいためで、本発明の引戸装置１では、この引き残し寸法Ｌを５０ｍｍ以下とすることができ、引戸扉４の全開時における開口スペースを大きくすることができるようになった。
【００２２】
しかして、引戸扉４の開放時には、実施例１と同様の方法で引戸扉４の開放を行い、閉鎖時に引戸扉４を全開にした状態から閉じ操作させる場合でも、指掛かり部材６に指を掛けることによって引戸扉４の閉鎖を容易に行うことができる。
【００２３】
以上、本発明の引戸装置について、複数の実施例に基づいて説明したが、本発明は上記実施例に記載した構成に限定されるものではなく、その趣旨を逸脱しない範囲において適宜その構成を変更することができるものである。
【産業上の利用可能性】
【００２４】
本発明の引戸装置は、引戸扉の表面部材に、貼着した摩擦係数の大きな平板部材によって引戸扉の開閉を行うという特性を有していることから、新規設備の引戸装置に用いることができる他、例えば、既設建造物の改造工事にも適用することができる。
【図面の簡単な説明】
【００２５】
【図１】本発明の引戸装置の第１実施例を示す閉鎖位置での正面図である。
【図２】本発明の引戸装置の第１実施例を示す開放位置での正面図である。
【図３】本発明の引戸装置に用いる平板部材を示し、（ａ）は、正面図、（ｂ）は、平面図、（ｃ）は、別の実施例の平板部材の正面図、（ｄ）は、同平面図である。
【図４】引戸扉の表面材に面落ち部分を設ける例を示し、（ａ）は、一部切り書きの正面図、（ｂ）は、（ａ）のＸ−Ｘ断面図、（ｃ）は、（ｂ）のＹ部拡大図である。
【図５】本発明の引戸装置の第２実施例を示す閉鎖位置での正面図である。
【図６】図５のＺ−Ｚ矢視断面図である。
【図７】従来の引戸装置を示す閉鎖位置での正面図である。
【図８】従来の引戸装置を示す開放位置での正面図である。
【符号の説明】
【００２６】
１  引戸装置
２  引戸枠部材
４  引戸扉
４ａ  表面材
５  平板部材
５ａ  凸状部分
６  指掛かり部材
Ｈ  面落ち部分
【図１】
2007092394.tif 000003
【図２】
2007092394.tif 000004
【図３】
2007092394.tif 000005
【図４】
2007092394.tif 000006
【図５】
2007092394.tif 000007
【図６】
2007092394.tif 000008
【図７】
2007092394.tif 000009
【図８】
2007092394.tif 000010